【事件の表示】
　平成　９年特許願第１９７２９３号「選択呼出受信機と移動無線通信装置と移動無線装置のメッセージ表示方法」拒絶査定不服審判事件〔平成１１年　２月１２日出願公開、特開平１１−　４１６４０〕について、次のとおり審決する。
【結　論】
　本件審判の請求は、成り立たない。
【理　由】
１．手続の経緯  
　本願は、平成９年７月２３日の出願であって、平成１５年９月２５日付けで拒絶理由通知がなされ、同年１１月２８日付けで手続補正がなされたが、平成１６年３月１０日付けで拒絶査定がなされ、これに対し、同年４月１４日に拒絶査定に対する審判請求がなされると共に、同年５月１４日付けで手続補正がなされたものである。  
　  
２．平成１６年５月１４日付けの手続補正についての補正却下の決定  
［補正却下の決定の結論］  
　　平成１６年５月１４日付けの手続補正（以下、「本件補正」という。）を却下する。  
　  
［理由］  
（１）補正後の本願発明  
　本件補正後の、特許請求の範囲の請求項１に係る発明は、  
　「基地局から自機宛ての呼出信号を受信し、この呼出信号に含まれる複数のメッセージコードにそれぞれ対応する複数のキャラクタを連ねて表示手段に表示する選択呼出受信機において、  
　１つのメッセージコードに、同一サイズのキャラクタの１つを対応させて記憶する単キャラクタ記憶手段と、  
　１つのメッセージコードに、前記単キャラクタ記憶手段に記憶されているキャラクタと同一サイズである複数のキャラクタを対応させて記憶する複キャラクタ記憶手段と、  
　受信した呼出信号に含まれるメッセージコードに対応し前記単キャラクタ記憶手段が記憶するキャラクタと、前記呼出信号に含まれるメッセージコードに対応し前記複キャラクタ記憶手段が記憶するキャラクタとをメッセージコードの並びに従って連ねて表示し、このうち前記複キャラクタ記憶手段が記憶するキャラクタについては、対応する複数のキャラクタを所定の順序で切り換えて前記表示手段に表示する表示制御手段とを具備することを特徴とする選択呼出受信機。」  
　にあるものと認める。  
　  
　なお、本件補正後の請求項１には「このうち前記複キャラクタ記憶K手段が記憶するキャラクタについては」と記載されているが、この記載より前に「複キャラクタ記憶K手段」という記載は存在しておらず、複キャラクタを記憶する手段として存在しているのは、「複キャラクタ記憶手段」という記載のみであるので、この「前記複キャラクタ記憶K手段」という記載は、「前記複キャラクタ記憶手段」の誤記と認め、上記のように認定した。
　　　
　本件補正は、請求項１に記載した発明を特定するために必要な事項である「単キャラクタ記憶手段」の「キャラクタ」について「同一サイズ」との限定を付加し、同じく「複キャラクタ記憶手段」の「複数のキャラクタ」について「前記単キャラクタ記憶手段に記憶されているキャラクタと同一サイズ」との限定を付加し、さらに、「表示制御手段」の表示制御において「メッセージコードの並びに従って」との限定を付加するものであって、特許法第１７条の２第４項第２号の特許請求の範囲の減縮を目的とするものに該当する。  
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下で検討する。  
　  
（２）引用例  
　原査定の拒絶の理由に引用された特開平９−８４０８５号公報（以下、「引用例」という。）には、図面とともに、次の事項が記載されている。  
　  
Ａ．「【要約】  
【課題】 メッセージの表示の自由度を高くして、表現力の豊かなメッセージ表示機能を備えた受信装置を提供することを目的とする。  
【解決手段】 制御部１５は、着信処理において、受信したメッセージデータから表示内容の表示優先順位を規定する指定コードを検出すると、当該メッセージデータに含まれる表示内容を規定する指定コードに基づいて、キャラクタデータＲＯＭ１６又はイラストデータＲＯＭ１８から複数の表示内容を読み出して、当該表示優先順位に基づいて、当該複数の表示内容を表示バッファ１９で合成して合成表示パターンを形成した後、表示部２にかかる合成表示パターンを表示する。」  
　  
Ｂ．「【特許請求の範囲】  
【請求項１】複数の表示内容データとこの複数の表示内容の表示優先順位を規定する指定コードを含んだ無線データを受信する受信手段と、  
前記表示優先順位を規定する指定コードと対応させて表示内容の表示優先順位を記憶する表示優先順位記憶手段と、  
前記表示内容を複数表示する表示手段と、  
前記受信手段によって受信された無線データから前記指定コードを検出し、当該指定コードに対応する表示優先順位を前記表示優先順位記憶手段から読み出す一方、前記複数の表示内容データを検出し、当該表示優先順位に基づいて当該複数の表示内容データに対応する表示内容を前記表示手段に合成表示する表示制御手段と、  
を備えたことを特徴とする受信装置。  
【請求項２】前記表示内容データに対応して、複数のイラストパターンからなる動画表示パターンを記憶する動画表示パターン記憶手段を、更に備え、前記表示手段に合成表示される複数の表示内容の少なくとも１つは、前記動画表示パターンであり、  
前記表示制御手段は、前記受信手段で受信された表示内容データに基づいて、前記動画表示パターン記憶手段から複数のイラストパターンを順次読み出して、前記表示手段に対し、他の表示内容と合成して、前記動画表示パターンを動画表示することを特徴とする請求項１記載の受信装置。」  
　  
Ｃ．「【０００１】  
【発明の属する技術分野】本発明は、受信装置に係り、詳細には、ページング受信機のメッセージ表示機能に関する。  
・・・（中　略）・・・  
【０００３】これらのアクセス手段で作成されたメッセージ情報は、公衆回線網を介してページャーサービス会社に送信され、ページャーサービス会社から個人所有、若しくは、企業所有のページャーの発信加入者識別情報（以下、ページャーＩＤコードと略称する）別に無線放送信号として加工されて送信される。ページャーには、数字情報の表示が可能なＮＰ（ニューメック・ページャー）型、文字情報の表示が可能なＩＰ（インフォーメーション・ページャー）型等あり、ページャーサービス会社から無線送信されるメーセッージデータを受信すると、当該受信メッセージに基づいて、発呼者の連絡先電話番号や、定型文メッセージ等を表示部に表示することにより、ページャーの所有者に対して、発呼者からの簡単なメッセージを伝達することができる。  
【０００４】  
【発明が解決しようとする課題】しかしながら、このような従来のページャーのメッセージ表示機能にあっては、以下の如き問題がある。即ち、従来のページャーにおいては、受信したメッセージデータに基づいて、定型文や限られた字数の数字や文字を用いてメッセージを表示部に表示することにより、発呼者からのメッセージを当該ページャーの所有者、即ち、受信者に対して伝達していたことから、ページャーを友人との手軽なコミュニケーションツールとして利用する場合等において、受信者に対してメッセージが極めて業務的な印象を与えてしまう等、発呼者の意志や感情等がメッセージを介して受信者に十分伝わらないという問題があった。  
【０００５】また、定型文や限られた字数の数字や文字等のメッセージを単独で表示部に表示するだけであり、メッセージの表示の自由度が制限されるという問題があった。そこで、本発明は、上記課題に鑑みてなされたものであり、メッセージの表示の自由度を高くして、表現力の豊かなメッセージ表示機能を備えた受信装置を提供することを目的とする。」  
　  
Ｄ．「【００２２】キャラクタデータＲＯＭ１６は、図４に示す定型メッセージテーブル及び、図５示すフリーワードマトリックスを格納してしており、制御部１５からの要求に応じて、指定コードに対応するメッセージを制御部１５に出力する。  
・・・（中　略）・・・  
【００２４】図５に示すフリーワードマトリックスは、縦軸、横軸それぞれ「０」から「９」までの数値に対してマトリックス状に数字や文字、或いは、記号が割り振られており、縦軸、横軸の「０」から「９」までの数値は、夫々、モードキー６、セレクトキー５の押下操作回数に対応している。そして、着信したメッセージデータにフリーワード指定データ「＊０５」が存在した場合、この指定データの後に続く２桁単位の数値データ列（指定コード）に対応するフリーワードメッセージがフリーワードマトリックスから読み出される。  
【００２５】例えば、着信したメッセージデータが「＊０５４２２５２３３３９５３１」であれば、指定コード「４２」、「２５」、「２３」、「３３」、「９５」、及び「３１」には夫々、「チ」、「コ」、「ク」、「ス」、「ル」、及び「ナ」が対応しており、即ち、「チコクスルナ」というフリーワードメッセージが読み出される。  
【００２６】・・・（中　略）・・・イラストデータＲＯＭ１８は、図６に示す定型イラストテーブル及び図７に示す表示色テーブルを格納している。
【００２７】図６に示す定型イラストテーブルは、「０１」、「０２」・・・等のイラストコード（指定コード）に表示イラスト及び表示色コードが対応しており、イラストデータＲＯＭ１８は、制御部１５からの要求に応じて、イラストコード（指定コード）に対応する表示イラスト及び表示色データを制御部１５に出力する。  
【００２８】そして、着信したメッセージデータにイラスト指定データ「＊０６」が存在した場合、このデータの後に続く２桁単位の数値データ列（指定コード）に対応するイラストメッセージ及び表示色データが読み出される。例えば、着信メッセージデータが「＊０６０１」であれば、表示色コード「０２」の「ハートマーク」が読み出される。」  
　  
Ｅ．「【００３２】次に、本実施の形態の動作を説明する。以下、本実施の形態に係るページャー１により実行される着信処理について図９に示すフローチャートに従って説明する。  
・・・（中　略）・・・  
そして、デコーダ部１３は、ページャーサービス会社から送信される当該ページャー１への呼出信号の着信検出の有無を判断し、呼出信号を着信した場合は、その呼出信号のアドレスコードがＩＤ−ＲＯＭ１４に格納されているアドレスコードと一致しているか否かを判断し、一致している場合は受信を継続する。次いで、制御部１５は、デコーダ部１３から呼出信号に続いて入力されるデータを取り込みＲＡＭ１７に格納し（ステップＳ３）、更に、この取り込まれた着信データにメッセージデータが含まれているか否かを判別する（ステップＳ４）。  
・・・（中　略）・・・  
一方、着信データにメッセージデータが含まれている場合は、ステップＳ５に移行して、更に、メッセージデータ中に合成指定の指定データが含まれているか否かを判別する（ステップＳ５）。合成指定の指定データが含まれていない場合は、ステップＳ８に移行し、表示部２に着信したメッセージデータに含まれる表示内容を識別する指定データ及びその指定データの後ろに続く指定コードに対応する表示内容をキャラクタデータＲＯＭ１６、又はイラストデータＲＯＭ１８から読み出して、かかる表示内容をそのまま表示部に表示する（ステップＳ８）。  
【００３４】一方、ステップ５において、メッセージデータ中に合成指定の指定データが含まれている場合は、ステップ６に移行して、合成指定ＲＯＭ２３１の合成指定テーブルから合成指定の指定コードに対応する表示優先順位を示す合成指定内容が比較回路２３２に読み込まれ、比較回路２３２は、着信メッセージデータに含まれる２つの表示内容の属性を識別する指定データ及びかかる指定データの後ろに続く指定コードに対応した表示内容をキャラクタデータＲＯＭ１６又はイラストデータＲＯＭ１８から読み出し、一旦表示メモリ２３５に展開して書き込むと共に、この２つの表示内容が重なりあう部分については、当該優先順位に基づいて、２つの表示内容のうちいずれかの表示内容に対応するデータを出力して、重なり合わない部分の表示内容データと共に表示バッファ１９に書き込み、合成表示パターンを形成する（ステップＳ６）。そして、ステップＳ７においては、表示バッファ１９に書き込まれた合成表示パターンを表示部２に表示して（ステップＳ７）、当該着信処理を終了する。」  
　  
Ｆ．「【００４４】（第２の実施の形態）  
・・・（中　略）・・・  
【００４５】図１４のページャーが図２のページャーと構成が異なる点は、タイミング制御回路２６を備えている点と、制御部１５が、更にクロック発生回路２５を備えている点と、及び、イラストデータＲＯＭ１８が、更に図１５に示すようなアニメーションテーブルを更に、備えている点である。以下、図１４のページャーに関し、図２のページャーとの相違点を中心に説明する。  
【００４６】図１４のページャーにおいて、制御部１５は、更に、クロック発生回路２５を有しており、クロック発生回路２５は、所定周期のクロックを生成して、タイミング制御回路１５に供給する。タイミング制御回路２６は、クロック発生回路２５から供給されるクロックに基づいて制御タイミング信号を生成し、また、表示バッファ１９に形成された合成表示パターンは、かかる制御タイミング信号に応じたタイミングで表示部２に出力される。そして、イラストデータＲＯＭ１８はさらに、図１５に示すような、アニメーションテーブル（動画表示パターンテーブル）を格納している。  
【００４７】図１５に示すアニメーションテーブルは、「０１」、「０２」・・・等のアニメーションコード（指定コード）に３パターン（表示画面０１、０２、及び０３）のアニメーション（イラスト）及び表示色コードが対応しており、イラストデータＲＯＭ１８は、制御部１５からの要求に応じて、アニメーションコード（指定コード）に対応するアニメーション（３パターンの表示画面０１、０２、及び０３）及び表示色データを制御部１５に出力する。  
【００４８】そして、着信したメッセージデータにアニメーション指定データ「＊０７」が存在した場合、このデータの後に続く数値データ列（指定コード）に対応する表示内容がイラストデータＲＯＭ１８のアニメーションテーブルから読み出される。例えば、着信メッセージデータが「＊０７０１」であれば、イラストデータＲＯＭ１８のアニメーションテーブルから表示色コード「０２」の「ハートマークが割れるアニメーション」が同テーブルの表示画面０１→０２→０３の順に読み出される。図１６は、着信メッセージデータとして、「＊０５７５１３＊８＊０５４２２５２３３３９３５１６８＊０９０１＊０７０１＃＃”」を受信した場合の表示例である。上記着信メッセージデータにおいて、「＊０９０１」は「ファーストメッセージ優先」の合成指定内容（表示優先順位）を表し、ファーストメッセージデータである「＊０５７５１３＊８＊０５４２２５２３３３９３５１６８」は、キャラクタデータＲＯＭ１６のフリーワードマトリックスの「モウ チコクスルナ！」を表し、セカンドメッセージデータである「＊０７０１」はイラストデータＲＯＭ１８のアニメーションテーブルの「ハートマークが割れるアニメーション」を表す。  
【００４９】制御回路１５の比較回路２３２は、上記メッセージデータを着信すると、先ず、上記メッセージデータに含まれる合成表示の指定データ及びそれに続く指定コードである「＊０９０１」に基づいて、合成指定ＲＯＭ２３１の合成指定テーブルから「ファーストメッセージ優先」を表す指示データを読み出す。  
【００５０】次に、比較回路２３２は、ファーストメッセージデータである「＊０５７５１３＊８＊０５４２２５２３３３９３５１６８」に対応する表示内容である「モウチコクスルナ！」を、キャラクタデータＲＯＭ１６のフリーワードマトリックスから読み出すと共に、セカンドメッセージデータである「＊０７０１」に対応する表示内容である「ハートマークが割れるアニメーション」をイラストデータＲＯＭ１８のアニメーションテーブルの表示画面０１→０２→０３の順に読み出す。  
【００５１】そして、かかる「ファーストメッセージ優先」という表示優先順位に基づいて、表示バッファ１９に、ファーストメッセージに対応する表示内容データ「モウチコクスルナ！」と、セカンドメッセージ「ハートマークが割れるアニメーション」に対応する表示内容データと、２つの表示内容が重なり合う部分についてはファーストメッセージの表示内容データとが優先して書き込まれる。すなわち、アニメーションテーブルから読み込んだ「ハートマークが割れるアニメーション」を構成する３つのイラストパターン（表示画面０１、０２、及び０３に）を順次、タイミング制御回路２６から供給されるタイミング信号に応じて、表示バッファ１９に書き込み、その各イラストパターンに対して、ファーストメッセージ「モウ チコクスルナ！」を重畳した合成表示パターンを形成する。  
【００５２】表示バッファ１９に形成された合成表示パターンは、同じく、タイミング制御回路２６から供給されるタイミング信号に応じたタイミングで、表示部２に順次出力され、図１６（Ａ）、（Ｂ），及び（Ｃ）に示すように、ファーストメッセージ「モウ チコクスルナ！」Ａの下に、赤いハートマークが割れるアニメーションＢ１、Ｂ２、Ｂ３が順次動画表示される。」  
　  
Ｇ．「【００５５】尚、上記した第１及び第２の実施の形態では、２つの表示内容の重なり合う部分については、優先順位に応じて合成表示する態様を示したが、表示内容を指定するデータの間に合成指定内容を入れることにより、３つ以上の表示内容について合成表示しても良い。また、本発明は公衆回線を利用したページャーに限らず無線通信機能を有する各種タイプの受信装置に適用される。つまり、公衆回線を利用しない構内ページャーや、赤外線等で通信する通信機能付の玩具、又通信機能を有するパーソナルコンピューター、電子手帳、ＦＭ文字多重放送受信機、その他の電子計算処理装置にも本発明は適用できる。」  
　  
Ｈ．「【００５７】  
【発明の効果】請求項１記載の受信装置によれば、複数の表示内容を合成して表示可能であるので、表示態様の自由度が増大し、操作者の利便性が向上する。また、表示内容の合成表示が可能であるため、発呼者の意志や感情をメッセージを介して受信者に伝達することが可能となり、メッセージに豊かな表現力を加えることができる。  
【００５８】また、請求項２記載の受信装置によれば、合成画像に動画のイラストを表示することが可能である故、表示形態の自由度を更に向上させることが可能となる。」  
　  
　上記Ｃに「ページング受信機のメッセージ表示機能に関する。」と記載されており、上記Ｂに「【請求項１】複数の表示内容データと…（中略）…を含んだ無線データを受信する受信手段と、…（中略）…前記表示内容を複数表示する表示手段と、前記受信手段によって受信された無線データから前記指定コードを検出し、…（中略）…、前記複数の表示内容データを検出し、…（中略）…当該複数の表示内容データに対応する表示内容を前記表示手段に合成表示する表示制御手段と、を備えたことを特徴とする受信装置。」と記載されていることから、引用例のものは、表示手段と表示制御手段とを具備するページング受信機である。  
　また、上記Ｅにページング受信機により実行される着信処理について、「デコーダ部１３は、ページャーサービス会社から送信される当該ページャー１への呼出信号の着信検出の有無を判断し、呼出信号を着信した場合は、その呼出信号のアドレスコードがＩＤ−ＲＯＭ１４に格納されているアドレスコードと一致しているか否かを判断し、一致している場合は受信を継続する。次いで、制御部１５は、デコーダ部１３から呼出信号に続いて入力されるデータを取り込みＲＡＭ１７に格納し（ステップＳ３）、更に、この取り込まれた着信データにメッセージデータが含まれているか否かを判別する（ステップＳ４）。」と記載されていることから、引用例のページング受信機は、ページャーサービス会社から送信される自機宛ての呼出信号を受信し、この呼出信号に続いて入力される着信データにメッセージデータが含まれるかを判別、すなわち、呼出信号に含まれるメッセージデータを判別している。
　ここで、 呼出信号を送信する「ページャーサービス会社」とは、ページャーサービス会社自体ではなく、「ページャーサービス会社の基地局」を意味することは、当業者にとって自明な事項である。  
　さらに、上記Ｄに「【００２５】例えば、着信したメッセージデータが「＊０５４２２５２３３３９５３１」であれば、指定コード「４２」、「２５」、「２３」、「３３」、「９５」、及び「３１」には夫々、「チ」、「コ」、「ク」、「ス」、「ル」、及び「ナ」が対応しており、即ち、「チコクスルナ」というフリーワードメッセージが読み出される。」と記載されていることから、引用例のページング受信機は、メッセージデータに含まれる複数の指定コードにそれぞれ対応する複数のキャラクタをキャラクタデータＲＯＭから読み出し、複数のキャラクタを連ねて表示手段に表示している。  
　加えて、上記Ｄに「【００２２】キャラクタデータＲＯＭ１６は、…（中略）…図５示すフリーワードマトリックスを格納してしており、…（中略）…指定コードに対応するメッセージを制御部１５に出力する。…（中略）…【００２４】図５に示すフリーワードマトリックスは、縦軸、横軸それぞれ「０」から「９」までの数値に対してマトリックス状に数字や文字、或いは、記号が割り振られており、…（中略）…２桁単位の数値データ列（指定コード）に対応するフリーワードメッセージがフリーワードマトリックスから読み出される。」と記載されていることから、引用例のページング受信機におけるキャラクタデータＲＯＭは、同一のフリーワードマトリックスから指定コードに対応するキャラクタを読み出すものであるから、１つの指定コードに、同一サイズのキャラクタの１つを対応させて記憶している。  
　そして、上記Ｆに「そして、イラストデータＲＯＭ１８はさらに、図１５に示すような、アニメーションテーブル（動画表示パターンテーブル）を格納している。【００４７】図１５に示すアニメーションテーブルは、「０１」、「０２」・・・等のアニメーションコード（指定コード）に３パターン（表示画面０１、０２、及び０３）のアニメーション（イラスト）及び表示色コードが対応しており、イラストデータＲＯＭ１８は、制御部１５からの要求に応じて、アニメーションコード（指定コード）に対応するアニメーション（３パターンの表示画面０１、０２、及び０３）及び表示色データを制御部１５に出力する。」と記載されていることから、引用例のページング受信機におけるイラストデータＲＯＭは、１つの指定コードに、複数のイラストを対応させて記憶している。  
　さらに、上記Ｆにページング受信機による表示制御として、「【００５０】次に、比較回路２３２は、ファーストメッセージデータである「＊０５７５１３＊８＊０５４２２５２３３３９３５１６８」に対応する表示内容である「モウチコクスルナ！」を、キャラクタデータＲＯＭ１６のフリーワードマトリックスから読み出すと共に、セカンドメッセージデータである「＊０７０１」に対応する表示内容である「ハートマークが割れるアニメーション」をイラストデータＲＯＭ１８のアニメーションテーブルの表示画面０１→０２→０３の順に読み出す。…（中略）…【００５２】表示バッファ１９に形成された合成表示パターンは、同じく、タイミング制御回路２６から供給されるタイミング信号に応じたタイミングで、表示部２に順次出力され、図１６（Ａ）、（Ｂ），及び（Ｃ）に示すように、ファーストメッセージ「モウ チコクスルナ！」Ａの下に、赤いハートマークが割れるアニメーションＢ１、Ｂ２、Ｂ３が順次動画表示される。」と記載されていることから、引用例のページング受信機では、指定コードに対応しキャラクタデータＲＯＭが記憶するキャラクタと、指定コードに対応しイラストデータＲＯＭが記憶するイラストとを指定コードに従って合成表示し、このうち前記イラストデータＲＯＭが記憶するイラストについては、対応する複数のイラストを所定の順序で切り換えて表示手段に表示をしている。  
　  
　よって、上記Ａ〜Ｆの記載及び関連する図面を参照すると、引用例には、次の発明（以下、「引用例記載の発明」という。）が記載されているものと認められる。  
　「ページャーサービス会社の基地局から自機宛ての呼出信号を受信し、この呼出信号に含まれるメッセージデータを判別して、メッセージデータに含まれる複数の指定コードにそれぞれ対応する複数のキャラクタを連ねて表示手段に表示するページング受信機において、  
　１つの指定コードに、同一サイズのキャラクタの１つを対応させて記憶するキャラクタデータＲＯＭと  
　１つの指定コードに、複数のイラストを対応させて記憶するイラストデータＲＯＭと、  
　受信した呼出信号に含まれる指定コードに対応し前記キャラクタデータＲＯＭが記憶するキャラクタと、前記呼出信号に含まれる指定コードに対応し前記イラストデータＲＯＭが記憶するイラストとを指定コードに従って合成表示し、このうち前記イラストデータＲＯＭが記憶するイラストについては、対応する複数のイラストを所定の順序で切り換えて前記表示手段に表示する表示制御手段とを具備することを特徴とするページング受信機。」  
　  
（３）対比  
　本願補正発明と引用例記載の発明とを対比すると、両者は共に、情報伝達能力を向上させるメッセージ表示機能を有する受信機であって、  
　引用例記載の発明における「ページャーサービス会社の基地局」「呼出信号」、「指定コード」、「キャラクタデータＲＯＭ」、「ページング受信機」は、それぞれ、本願補正発明における「基地局」、「呼出信号」、「メッセージコード」、「単キャラクタ記憶手段」、「選択呼出受信機」に相当する。  
　そして、引用例記載の発明における「１つの指定コードに複数のイラストを対応させて記憶するイラストデータＲＯＭ」における「イラスト」は、ハートマークや人の形態等を平面にえがいたものであり、本願補正発明の「１つのメッセージコードに…（中略）…複数のキャラクタを対応させて記憶する複キャラクタ記憶手段」における「キャラクタ」は、平面にえがき表され、視覚的に認識できるものであるから、共に、「絵」の概念に包含されるものである。
　したがって、引用例記載の発明の「１つの指定コードに複数のイラストを対応させて記憶するイラストデータＲＯＭ」と「１つのメッセージコードに…（中略）…複数のキャラクタを対応させて記憶する複キャラクタ記憶手段」は、共に、「１つのメッセージコードに複数の絵を対応させて記憶する複数の絵の記憶手段」として共通する。  
　上述のように、引用例記載の発明の「イラストデータＲＯＭが記憶するイラスト」も本願補正発明の「複キャラクタ記憶手段が記憶するキャラクタ」も「絵」として共通するものであるから、引用例記載の発明の「このうち前記イラストデータＲＯＭが記憶するイラストについては、対応する複数のイラストを所定の順序で切り換えて前記表示手段に表示する表示制御手段」と本願補正発明の「このうち前記複キャラクタ記憶手段が記憶するキャラクタについては、対応する複数のキャラクタを所定の順序で切り換えて前記表示手段に表示する表示制御手段」は、共に、「このうち前記複数の絵の記憶手段が記憶する絵については、対応する複数の絵を所定の順序で切り換えて前記表示手段に表示する表示制御手段」として共通する。  
　  
　よって、本願補正発明と引用例記載の発明とは、  
　「基地局から自機宛ての呼出信号を受信し、この呼出信号に含まれる複数のメッセージコードにそれぞれ対応する複数のキャラクタを連ねて表示手段に表示する選択呼出受信機において、  
　１つのメッセージコードに、同一サイズのキャラクタの１つを対応させて記憶する単キャラクタ記憶手段と、  
　１つのメッセージコードに、複数の絵を対応させて記憶する複数の絵の記憶手段と、  
　受信した呼出信号に含まれるメッセージコードに対応し前記単キャラクタ記憶手段が記憶するキャラクタと、前記呼出信号に含まれるメッセージコードに対応し前記複数の絵の記憶手段が記憶する絵とをメッセージコードに従って表示し、このうち前記複数の絵の記憶手段が記憶する絵については、対応する複数の絵を所定の順序で切り換えて前記表示手段に表示する表示制御手段とを具備することを特徴とする選択呼出受信機。」  
　である点で一致し、次の点で相違する。  
　  
＜相違点１＞  
　複数の絵の記憶手段に記憶される「絵」について、本願補正発明では「キャラクタ」であって、単キャラクタ記憶手段に記憶されているキャラクタと同一サイズであるのに対して、引用例記載の発明では「イラスト」であって、そのサイズが単キャラクタ記憶手段に記憶されているキャラクタと同一サイズであるか否かについては明らかではない点。  
　  
＜相違点２＞ 
　「表示制御手段」において、本願補正発明では「メッセージコードの並びに従って連ねて表示し」ているのに対して、引用例記載の発明では「指定コードに従って合成表示し」ている点。  
　 
（４）判断  
　そこで、上記相違点について検討する。  
　  
＜相違点１及び相違点２について＞  
　本件出願前当業者間において周知の刊行物である「高度無線呼出システム標準規格　ＲＣＲ　ＳＴＤ−４３Ａ」Ａ改訂、平成８年６月２５日、社団法人 電波産業会、には、  
「3.10.2.1　数字符号表  
　・・・（中　略）・・・  
　＜フリーワード＞  
　フリーワードは、英・数・カナ記号を、数字２桁を単位として送るものである。  
　以下に規定するフリーワード認識記号の間の数字符号は、２桁単位で表3.10.2.1−2に従って、フリーワードとして送信される。送信順は表3.10.2.1−2の行、列の順とし、受信機側では、表3.10.2.1−2により該当する文字に変換して表示する。  
　表　3.10.2.1−2　フリーワード変換表」（８１頁２−８行）という記載があり、このフリーワード変換表には、例えば、数字２桁の「８９」で指定されるハートマークの絵文字が、他の英・数・カナ記号と共に示されている。
　加えて、特開平９−１９１２６１号公報に「【００４７】フリーワードメモリ１９は、図１１に示すように、１０行×１５列構成のフリーワード変換マトリックス表を格納し、又、メッセージデータに含まれるフリーワード開始コード“１１００１１００”（ダイアルデータで＊２＊２）の後に続く４ビットのビットパターンの組み合わせにより、フリーワードと称されるキャラクターデータが呼び出される。」、「【０１１９】…（中略）…図２４は、ページャー１が着信したメッセージデータが“＊２＊２０＊０８＊０１１１２４１１２８５”である場合の着信メッセージの表示例である。【０１２０】…（中略）…そして、その表示制御コードに続くダイアルデータ“８＊０１１１２４１１２８５”が図１１のフリーワード変換マトリックス表によりフリーワード変換されて“イラスト（８＊０）あいたいよ”が、フリーワード変換される。」及び図１１、図２４として記載されているように、メッセージコード「８＊０」で指定されるハートマークの絵文字が、他の文字キャラクタと同一のフリーワード変換マトリックスのデータとして記憶され、さらに、文字キャラクタと絵文字とを同等に扱い、メッセージコードの並びに従って連ねて表示することが示されている。
　してみると、選択呼出受信機の分野において、ハートマークなどのイラストを絵文字として、すなわち文字キャラクタと同等に扱い、メッセージコードの並びに従って連ねて表示することは周知技術であり、その場合、絵文字と他の文字キャラクタとを同一サイズのものとして表示することは、当業者にとって自明である。 
　また、引用例の上記（２）Ｅ．に「一方、着信データにメッセージデータが含まれている場合は、ステップＳ５に移行して、更に、メッセージデータ中に合成指定の指定データが含まれているか否かを判別する（ステップＳ５）。合成指定の指定データが含まれていない場合は、ステップＳ８に移行し、表示部２に着信したメッセージデータに含まれる表示内容を識別する指定データ及びその指定データの後ろに続く指定コードに対応する表示内容をキャラクタデータＲＯＭ１６、又はイラストデータＲＯＭ１８から読み出して、かかる表示内容をそのまま表示部に表示する（ステップＳ８）。」と記載されているように、引用例にはキャラクタデータＲＯＭが記憶するキャラクタと、イラストデータＲＯＭが記憶するイラストとを同等に扱い、メッセージコードの並びに従って連ねて表示することが示唆されている。
　したがって、引用例記載の発明において、複数のイラストを対応させてイラストデータＲＯＭに記憶する「イラスト」を、他の文字キャラクタと同一サイズである絵文字、すなわち単キャラクタ記憶手段に記憶されているキャラクタと同一サイズのキャラクタとし、かつ、「表示制御手段」で、それらのキャラクタをメッセージコードの並びに従って連ねて表示するように構成することは、当業者であれば容易に想到し得る事項である。 
　
　また、本願補正発明の構成によってもたらされる効果も、引用例記載の発明及び上記周知技術から当業者ならば容易に予測することができる程度のものであって、格別なものとはいえない。  
　  
（５）むすび  
　したがって、本願補正発明は、引用例記載の発明及び上記周知技術に基いて、当業者が容易に発明をすることができたものであるので、特許法第２９条第２項の規定により、特許出願の際独立して特許を受けることができないものである。  
　よって、本件手続補正は、特許法第１７条の２第５項で準用する同法第１２６条第５項の規定に違反するものであり、同法第１５９条第１項で準用する同法第５３条第１項の規定により却下されるべきものである。  
　  
３．補正却下の決定を踏まえた検討  
（１）本願発明  
　平成１６年５月１４日付けの手続補正は、上記のとおり却下されたので、本願の請求項１に係る発明（以下、「本願発明」という。）は、平成１５年１１月２８日付け手続補正書の特許請求の範囲の請求項１に記載された事項により特定される、以下のとおりのものである。  
　「基地局から自機宛ての呼出信号を受信し、この呼出信号に含まれる複数のメッセージコードにそれぞれ対応する複数のキャラクタを連ねて表示手段に表示する選択呼出受信機において、  
　１つのメッセージコードに、１つのキャラクタを対応させて記憶する単キャラクタ記憶手段と、  
　１つのメッセージコードに、複数のキャラクタを対応させて記憶する複キャラクタ記憶手段と、  
　受信した呼出信号に含まれるメッセージコードに対応し前記単キャラクタ記憶手段が記憶するキャラクタと、前記呼出信号に含まれるメッセージコードに対応し前記複キャラクタ記憶手段が記憶するキャラクタとを連ねて前記表示手段に表示し、このうち前記複キャラクタ記憶手段が記憶するキャラクタについては、対応する複数のキャラクタを所定の順序で切り換えて前記表示手段に表示する表示制御手段とを具備することを特徴とする選択呼出受信機。」  
　  
（２）引用例  
　これに対して、原査定の拒絶の理由に引用された引用例及びその記載事項は、上記「２．（２）」に記載したとおりである。  
　  
（３）対比  
　本願発明は、上記２．（１）で検討した本願補正発明において、構成要件として「同一サイズのキャラクタの１つを対応させて記憶する単キャラクタ記憶手段」から「同一サイズ」を削除し、「前記単キャラクタ記憶手段に記憶されているキャラクタと同一サイズである複数のキャラクタを対応させて記憶する複キャラクタ記憶手段」から「前記単キャラクタ記憶手段に記憶されているキャラクタと同一サイズ」を削除するとともに、「表示制御手段」の表示制御において「メッセージコードの並びに従って」を削除し、「受信した呼出信号に含まれるメッセージコードに対応し前記単キャラクタ記憶手段が記憶するキャラクタと、前記呼出信号に含まれるメッセージコードに対応し前記複キャラクタ記憶手段が記憶するキャラクタとを連ねて前記表示手段に表示し、このうち前記複キャラクタ記憶手段が記憶するキャラクタについては、対応する複数のキャラクタを所定の順序で切り換えて前記表示手段に表示する表示制御手段」とするものである。
　そうすると、本願発明に対して構成要件、条件、動作を付加したものに相当する本願補正発明が、上記２．（４）に記載したとおり、引用例に記載の発明及び上記周知技術に基いて当業者が容易に発明をすることができたものである以上、本願発明も、同様の理由により、引用例記載の発明及び上記周知技術に基いて、当業者が容易に発明をすることができたものである。  
　  
（４）むすび  
　したがって、本願発明は、引用例に記載の発明及び上記周知技術に基いて、当業者が容易に発明をすることができたものであるから、特許法第２９条第２項の規定により特許を受けることができない。  
　よって、結論のとおり審決する。